(57)【特許請求の範囲】
【請求項１】
室内機ユニットを覆うフロントパネルに着脱可能に取り付けられるグリルを備える空気調和機であって、
前記グリルの着脱機構は、前記グリルの上縁に離間して少なくともふたつ設けられ先端には側方に突出する突起が形成されたフックと、該フックに対向してフロントパネルの前面に設けられ該フックが先端から挿入されるフック挿入孔を有するブラケットとから構成され、
前記突起は、前記グリルを前記フロントパネルに対して斜め下方に傾斜配置したとき、前記フック挿入孔への所定の挿入方向に沿うように形成され、かつ、該挿入方向の寸法が第１の肉厚とされる第１の肉厚部を形成するとともに、該挿入方向に直交する方向に沿うように形成され、かつ、該挿入方向に直交する方向の寸法が第２の肉厚とされる第２の肉厚部を形成し、前記第１の肉厚は前記第２の肉厚よりも厚く形成され、
前記フック挿入孔は、前記フックの挿入方向に直交する方向の開口幅が前記第１の肉厚より狭くかつ前記第２の肉厚より広く形成され、さらに前記フック挿入孔の内部には、前記第１の肉厚を形成する面を摺動面として前記突起を回動可能に支持する軸受け部が設けられていることを特徴とする空気調和機。
【請求項２】
室内機ユニットを覆うフロントパネルに着脱可能に取り付けられるグリルを備える空気調和機であって、
前記グリルの着脱機構は、前記グリルの上縁に離間して少なくともふたつ設けられ先端には側方に突出する突起が形成されたフックと、該フックに対向して前記フロントパネルの前面に設けられ該フックが先端から挿入されるフック挿入孔を有するブラケットとから構成され、
前記フックには、前記突起を押圧することで側方に変形可能な弾性が付与され、
前記フック挿入孔の内部には、前記グリルを前記フロントパネルに重ねて押し付けたとき、前記突起に当接して押圧し前記フックを側方に弾性変形させる傾斜面と、該傾斜面の奥に位置するとともに、前記突起が該傾斜面を通過した後に該傾斜面から離れ前記フックの形状が元に戻ることにより前記突起と係合して前記フックを固定する凹部とが設けられていることを特徴とする空気調和機。
【請求項３】
前記グリルの前記フロントパネルに向き合う側面には、先端に膨出部が形成されたピンが突設され、前記フロントパネルには、グリルを重ねたとき、前記ピンが先端から挿入されることにより該ピンを噛んで着脱可能に係止する爪を有する係止部が設けられていることを特徴とする請求項１または２記載の空気調和機。
【発明の詳細な説明】
【０００１】
【発明の属する技術分野】
本発明は、空気調和機に関し特に室内機ユニットに具備される吸込グリルの着脱機構に関する。
【０００２】
【従来の技術】
空気調和機を構成する室内機ユニットには、室内の空気を吸い込む吸気部が設けられている。この吸気部には、空気中の埃を除去するためのフィルタが内蔵されているが、このフィルタは溜まった埃を定期的に取り除いてやる必要があるため、吸気部前面のグリル部分は室内機ユニットの本体に対して着脱可能とされている。
【０００３】
着脱可能な吸込グリルの一例を図６に示す。室内機ユニットの本体１はフロントパネル２に覆われており、吸気部３はこのフロントパネル２の前面に配置されている。吸気部３にはフィルタ３ａが取り付けられており、このフィルタ３ａを隠すようにして吸込グリル４が取り付けられている。吸込グリル４の裏面上縁部には、その左右両側および中央にフック５が設けられ、フロントパネル２の前面上部には、各フック５に対応する位置、すなわち左右両側および中央にフック５に係合されるブラケット６が設けられている。
【０００４】
フック５の先端には、フロントパネル２の左右幅方向に貫通するシャフト挿入孔５ａが穿設され、ブラケット６には、シャフト挿入孔５ａに対して側方から水平方向に挿入されるシャフト６ａが設けられるとともに、吸込グリル４を開いた状態ではシャフト挿入孔５ａに対するシャフト６ａ挿入に伴う吸込グリル４の水平方向の移動を許容し吸込グリル４を閉じた状態では吸込グリル４の水平方向の移動を制限してブラケット６からのフック５の離脱を阻止するストッパ６ｂが付設けられている。
【０００５】
吸込グリル４をフロントパネル２に取り付ける場合には、吸込グリル４をフロントパネル２に対して開いた状態から、吸込グリル４を水平方向に移動させてシャフト挿入孔５ａにシャフト６ａを挿入した後、吸込グリル４をシャフト６ａを中心として下方に回転させると、フック５の前縁がブラケット６とストッパ６ｂとの間隙６ｃに浸入して吸込グリル４の水平方向の移動が制限されるので、そのまま吸込グリル４を下方に回転させることで吸込グリル４がフロントパネル２に対して正しく取り付けられる。
【０００６】
一方、吸込グリル４をフロントパネル２から取り外す場合には、吸込グリル４を少しずつ開いていくと、ほぼ水平となったところでフック５の前縁がブラケット６とストッパ６ｂとの間隙から抜け出てフック５の拘束が無くなるので、この状態から吸込グリル４を側方に移動させブラケット６からフック５を離脱させることで吸込グリル４が無理なくフロントパネル２から取り外される。
【０００７】
【発明が解決しようとする課題】
ところで、従来の吸込グリルの着脱構造では、吸込グリルをフロントパネルの前方で水平に近い位置に配置する必要があるため、高所に据え付けられた室内機ユニットに対して吸込グリルを着脱する場合には、脚立や作業台、椅子等に乗り両手をあげて作業を行わなければならず、作業が行い難いという問題があった。
【０００８】
上記の課題を解決するための手段として、次のような構成を有する空気調和機を採用する。まず、第１の空気調和機は、室内機ユニットを覆うフロントパネルに着脱可能に取り付けられるグリルを備える空気調和機であって、前記グリルの着脱機構は、前記グリルの上縁に離間して少なくともふたつ設けられ先端には側方に突出する突起が形成されたフックと、該フックに対向してフロントパネルの前面に設けられ該フックが先端から挿入されるフック挿入孔を有するブラケットとから構成され、前記突起は、前記グリルを前記フロントパネルに対して斜め下方に傾斜配置したとき、前記フック挿入孔への所定の挿入方向に沿うように形成され、かつ、該挿入方向の寸法が第１の肉厚とされる第１の肉厚部を形成するとともに、該挿入方向に直交する方向に沿うように形成され、かつ、該挿入方向に直交する方向の寸法が第２の肉厚とされる第２の肉厚部を形成し、前記第１の肉厚は前記第２の肉厚よりも厚く形成され、前記フック挿入孔は、前記フックの挿入方向に直交する方向の開口幅が前記第１の肉厚より狭くかつ前記第２の肉厚より広く形成され、さらに前記フック挿入孔の内部には、前記第１の肉厚を形成する面を摺動面として前記突起を回動可能に支持する軸受け部が設けられていることを特徴とするものである。
【０００９】
この空気調和機においては、グリルをフロントパネルに取り付ける場合、グリルをフロントパネルに対して斜め下方に傾斜配置し、フックを所定の挿入方向に移動させてフック挿入孔に差し込むと、突起に形成された第２の肉厚部がフック挿入孔の開口幅より小さいので、フックがフック挿入孔の内部まで支障なく挿入され、突起が軸受け部に配置される。そして、第１の肉厚部を摺動面として突起を中心にグリルを下方に回転させると、第２の肉厚部の向きが変化してフック挿入孔から抜き出せなくなりフロントパネルからのグリルの離脱が制限される。そこで、そのままグリルを下方に回転させることでグリルがフロントパネルに対して正しく取り付けられる。
なお、グリルをフロントパネルから取り外す場合は、グリルを取り付け時の傾斜位置まで開くと、フック挿入孔の開口幅による突起の拘束が無くなるので、この状態からグリルを所定の挿入方向とは逆に移動させることでグリルが無理なくフロントパネルから取り外される。
【００１０】
また、第２の空気調和機は、室内機ユニットを覆うフロントパネルに着脱可能に取り付けられるグリルを備える空気調和機であって、前記グリルの着脱機構は、前記グリルの上縁に離間して少なくともふたつ設けられ先端には側方に突出する突起が形成されたフックと、該フックに対向して前記フロントパネルの前面に設けられ該フックが先端から挿入されるフック挿入孔を有するブラケットとから構成され、前記フックには、前記突起を押圧することで側方に変形可能な弾性が付与され、前記フック挿入孔の内部には、前記グリルを前記フロントパネルに重ねて押し付けたとき、前記突起に当接して押圧し前記フックを側方に弾性変形させる傾斜面と、該傾斜面の奥に位置するとともに、前記突起が該傾斜面を通過した後に該傾斜面から離れ前記フックの形状が元に戻ることにより前記突起と係合して前記フックを固定する凹部とが設けられていることを特徴とするものである。
【００１１】
この空気調和機においては、グリルをフロントパネルに取り付ける場合、グリルをフロントパネルに重ねて押し付けると、突起が傾斜面に沿って移動する過程で押圧されてフックが側方に弾性変形する。さらにグリルを押し付けると、突起が傾斜面から離れてフックの変形が解かれることにより突起と凹部とが係合し、グリルがフロントパネルに取り付けられる。
【００１２】
なお、前記第１、第２の空気調和機には、グリルのフロントパネルに向き合う側面に、先端に膨出部が形成されたピンが突設され、フロントパネルには、グリルを重ねたときピンが先端から挿入されることにより該ピンを噛んで着脱可能に係止する爪を有する係止部が設けられることが望ましい。
【００１３】
この空気調和機においては、グリルをフロントパネルに重ね、ピンを係止部に挿入させると、ピン先端の膨出部が爪に噛み込まれたようになって係止され、グリルがフロントパネルに固定される。なお、グリルを取り外すときは、グリルをフロントパネルから離間させ、爪の噛み合いに抗してピンを係止部から引き抜けばよい。
【００１４】
【発明の実施の形態】
本発明に係る空気調和機の実施形態を図１ないし図５に示して説明する。
図１に示すように、空気調和機を構成する室内機ユニットの本体１１はフロントパネル１２に覆われており、吸気部１３はこのフロントパネル１２の前面に配置されている。吸気部１３にはフィルタ１３ａが取り付けられており、このフィルタ１３ａを隠すようにして吸込グリル１４が取り付けられている。
【００１５】
吸込グリル１４はフロントパネル１２に対して着脱可能に取り付けられており、その着脱機構は、図２に示すように、吸込グリル１４の上縁の左右両側に離間して設けられたフック２０と、このフック２０に対向してフロントパネル１２の前面に設けられたブラケット３０とから構成されている。フック２０の先端には側方に突出する突起２１が形成され、かたやブラケット３０にはフック２０が先端から挿入されるフック挿入孔３１が設けられている。
【００１６】
突起２１は、図３に示すように吸込グリル１４をフロントパネル１２に対して約６０゜ほど斜め下方に傾斜配置したとき、フック挿入孔３１への所定の挿入方向に沿う第１の肉厚部２２が、その挿入方向に直交する方向に沿う第２の肉厚部２３よりも厚く形成されている。
【００１７】
フック挿入孔３１は、フック２０の挿入方向に直交する方向の開口幅Ｗが突起２１の第１の肉厚部２２より狭くかつ第２の肉厚部２３よりわずかに広く形成され、さらにフック挿入孔３１の内部には、第１の肉厚部２２の両側に位置する円弧面２２ａを摺動面として突起２１を回動可能に支持する軸受け部（凹部）３２が設けられている。
【００１８】
また、フック２０には、突起２１を押圧することでフック２０自体が側方に変形可能なように弾性が付与されている。加えて、フック挿入孔３１の内部には、図４に示すように吸込グリル１４をフロントパネル１２に重ねて押し付けたとき、突起２１の先端側面に当接してこれを押圧しフック２０を側方に弾性変形させる傾斜面３３が設けられている。この傾斜面３３の奥には軸受け部３２が位置しており、突起２１が傾斜面３３から離れてフック２０が元の形状に戻ることによって突起２１が軸受け部３２と係合するようになっている。
【００１９】
吸込グリル１４のフロントパネル１２に向き合う裏面にはピン４０が突設されており、ピン４０の先端には膨出部４１が形成されている。また、フロントパネル１２には、吸込グリル１４を重ねたときピン４０を係止する係止部４２が設けられている。係止部４２には、ピン４０が先端から挿入されることによってピン４０を噛んで着脱可能に係止する爪４３が設けられている。
【００２０】
上記のように構成された空気調和機において、フロントパネル１２に吸込グリル１４を取り付けるには次の二通りの方法がある。まず、第１の方法としては、図５（Ａ）に示すように、吸込グリル１４をフロントパネル１２に対して斜め下方に傾斜配置し、続いて図５（Ｂ）に示すようにフック２０を所定の挿入方向に移動させてフック挿入孔３１に差し込むと、突起２１に形成された第２の肉厚部２３がフック挿入孔３１の開口幅Ｗより小さいので、フック２０がフック挿入孔３１の内部まで支障なく挿入され、突起２１が軸受け部３２に配置される。そして、第１の肉厚部２２の両側の円弧面２２ａを摺動面として突起２１を中心に吸込グリル１４を下方に回転させると、第２の肉厚部２３の向きが変化してフック挿入孔３１から抜き出せなくなりフロントパネル１２からの吸込グリル１４の離脱が制限される。そこで、そのまま吸込グリル１４を下方に回転させることで吸込グリル１４がフロントパネル１２に対して正しく重ね合わされる。最後に、ピン４０を係止部４２に挿入して吸込グリル１４をフロントパネル１２に固定する。
【００２１】
なお、吸込グリル１４をフロントパネル１２から取り外す場合は、ピン４０を係止部４２から抜き出して係止状態を解除し、の吸込グリル１４を取り付け時の傾斜位置まで開くと、フック挿入孔３１の開口幅Ｗによる突起２１の拘束が無くなるので、この状態から吸込グリル１４を所定の挿入方向とは逆に移動させることで吸込グリル１４が無理なくフロントパネル１２から取り外される。
【００２２】
次に、第２の方法としては、図５（Ｃ）に示すように、吸込グリル１４をフロントパネル１２に重ねて押し付けると、突起２１が傾斜面３３に沿って移動する過程で押圧されてフック２０が側方に弾性変形する。さらに吸込グリル１４を押し付けると、突起２１が傾斜面３３から離れてフック２０が元の形状に戻ることにより突起２１と軸受け部３２とが係合し、吸込グリル１４がフロントパネル１２に取り付けられる。最後に、ピン４０を係止部４２に挿入して吸込グリル１４をフロントパネル１２に固定する。
【００２３】
上記のいずれかの方法で吸込グリル１４の取り付け作業を行うことで、高所に据え付けられた室内機ユニットに対して吸込グリルを着脱する場合にも、床に立ったままで作業を行うことができる。
【００２４】
なお、本実施形態においてはフック２０およびブラケット３０を２個ずつ設けてあるが、例えばこれを３個としても何ら問題はない。
【００２５】
【発明の効果】
本発明に係る空気調和機によれば、吸込グリルの取り付けもしくは取り外し作業時に、従来の室内機ユニットのように吸込グリルをフロントパネルの前方で水平に近い位置に配置する必要がないので、高所に据え付けられた室内機ユニットに対して吸込グリルを着脱する場合にも、作業者は床に立ったままで作業を行うことができ、これによって空気調和機の設置工事における作業性を改善することができる。
【図面の簡単な説明】
【図１】  本発明に係る空気調和機の一実施形態を示す斜視図である。
【図２】  室内機ユニットを構成するフロントパネルおよび吸込グリルの側断面図である。
【図３】  フックとブラケットとの係合関係を示す側断面図である。
【図４】  同じく、フックとブラケットとの係合関係を示す正面図である。
【図５】  フロントパネルに対する吸込グリルの取り付け方法を示す説明図である。
【図６】  従来の空気調和機の一例を示す斜視図である。
【符号の説明】
１２  フロントパネル
１４  吸込グリル
２０  フック
２１  突起
２２  第１の肉厚部
２３  第２の肉厚部
３０  ブラケット
３１  フック挿入孔
３２  軸受け部（凹部）
３３  傾斜面
４０  ピン
４１  膨出部
４２  係止部
Ｗ  開口幅
【図１】
0003854396.tif 000002
【図２】
0003854396.tif 000003
【図３】
0003854396.tif 000004
【図４】
0003854396.tif 000005
【図５】
0003854396.tif 000006
【図６】
0003854396.tif 000007